(57)【特許請求の範囲】
【請求項１】
端末であって、
第1のベースバンドプロセッサと、第2のベースバンドプロセッサと、第1の無線周波数チップと、第2の無線周波数チップと、第1のアンテナと、第2のアンテナと、第3のアンテナと、第4のアンテナとを備え、
前記第1のベースバンドプロセッサが第1のカードスロットに接続され、前記第2のベースバンドプロセッサが第2のカードスロットに接続され、前記第1のベースバンドプロセッサ、前記第2のベースバンドプロセッサ、前記第1の無線周波数チップ、および前記第2の無線周波数チップが、すべて第3世代または後世代のモバイル通信技術のアクセス能力をサポートし、
前記第1のベースバンドプロセッサが前記第1の無線周波数チップを使用することによって前記第1のアンテナに接続され、前記第1の無線周波数チップが前記第1のアンテナに接続されて第1のチャネルを形成し、
前記第1のベースバンドプロセッサが前記第1の無線周波数チップを使用することによって前記第2のアンテナに接続され、前記第1の無線周波数チップが前記第2のアンテナに接続されて第2のチャネルを形成し、
前記第2のベースバンドプロセッサが前記第2の無線周波数チップを使用することによって前記第3のアンテナに接続され、前記第2の無線周波数チップが前記第3のアンテナに接続されて第3のチャネルを形成し、
前記第2のベースバンドプロセッサが前記第2の無線周波数チップを使用することによって前記第4のアンテナに接続され、前記第2の無線周波数チップが前記第4のアンテナに接続されて第4のチャネルを形成し、
前記第1のチャネル、前記第2のチャネル、前記第3のチャネル、および前記第4のチャネルが、前記端末と外部デバイスとの間でデータを送信するように構成され、
前記第1のベースバンドプロセッサがスイッチを使用することによって前記第2の無線周波数チップに接続され、前記第1のベースバンドプロセッサが、
前記第1のベースバンドプロセッサが前記第1のチャネルを使用することによってデータを送信するとき、前記第3のチャネルがアイドル状態である場合、前記第1のチャネルおよび前記第3のチャネルを使用することによって前記データを送信するか、または
前記第1のベースバンドプロセッサが前記第1のチャネルおよび前記第2のチャネルを使用することによってデータを送信するとき、前記第3のチャネルおよび前記第4のチャネルがアイドル状態である場合、前記第1のチャネル、前記第2のチャネル、前記第3のチャネル、および前記第4のチャネルを使用することによって前記データを送信するか、または
前記第1のベースバンドプロセッサが前記第1のチャネルおよび前記第2のチャネルを使用することによってデータを送信するとき、前記第3のチャネルがアイドル状態である場合、前記第1のチャネル、前記第2のチャネル、および前記第3のチャネルを使用することによって前記データを送信する
ようにさらに構成される、端末。
【請求項２】
前記第1のベースバンドプロセッサおよび前記第2のベースバンドプロセッサが、1つのプロセッサ内で統合されるか、または
前記第1のベースバンドプロセッサおよび前記第2のベースバンドプロセッサが、前記端末内で独立して配置される、請求項1に記載の端末。
【請求項３】
前記第2のアンテナおよび前記第4のアンテナが同じアンテナであるか、または
前記第2のアンテナおよび前記第4のアンテナが前記端末内で独立して配置される、請求項1または2に記載の端末。
【請求項４】
前記第1のアンテナおよび前記第3のアンテナがメインアンテナであり、前記第2のアンテナおよび前記第4のアンテナがダイバーシティアンテナである、請求項1から3のいずれか一項に記載の端末。
【請求項５】
前記第3世代または後世代のモバイル通信技術が、第3世代モバイル通信技術3G、第4世代モバイル通信技術4G、または第5世代モバイル通信技術5Gを含む、請求項1から4のいずれか一項に記載の端末。
【請求項６】
端末の通信方法であって、
前記端末が、第1のベースバンドプロセッサと、第2のベースバンドプロセッサと、第1の無線周波数チップと、第2の無線周波数チップと、第1のアンテナと、第2のアンテナと、第3のアンテナと、第4のアンテナとを備え、
前記第1のベースバンドプロセッサが第1のカードスロットに接続され、前記第2のベースバンドプロセッサが第2のカードスロットに接続され、前記第1のベースバンドプロセッサ、前記第2のベースバンドプロセッサ、前記第1の無線周波数チップ、および前記第2の無線周波数チップが、すべて第3世代または後世代のモバイル通信技術のアクセス能力をサポートし、
前記第1のベースバンドプロセッサが前記第1の無線周波数チップを使用することによって前記第1のアンテナに接続され、前記第1の無線周波数チップが前記第1のアンテナに接続されて第1のチャネルを形成し、
前記第1のベースバンドプロセッサが前記第1の無線周波数チップを使用することによって前記第2のアンテナに接続され、前記第1の無線周波数チップが前記第2のアンテナに接続されて第2のチャネルを形成し、
前記第2のベースバンドプロセッサが前記第2の無線周波数チップを使用することによって前記第3のアンテナに接続され、前記第2の無線周波数チップが前記第3のアンテナに接続されて第3のチャネルを形成し、
前記第2のベースバンドプロセッサが前記第2の無線周波数チップを使用することによって前記第4のアンテナに接続され、前記第2の無線周波数チップが前記第4のアンテナに接続されて第4のチャネルを形成し、
前記第1のチャネル、前記第2のチャネル、前記第3のチャネル、および前記第4のチャネルが、前記端末と外部デバイスとの間でデータを送信するように構成され、
前記第1のベースバンドプロセッサがスイッチを使用することによって前記第2の無線周波数チップに接続され、
前記通信方法が、
前記第1のベースバンドプロセッサが前記第1のチャネルを使用することによってデータを送信するとき、前記第3のチャネルがアイドル状態である場合、前記第1のベースバンドプロセッサにより、前記第1のチャネルおよび前記第3のチャネルを使用することによって前記データを送信するステップ、または
前記第1のベースバンドプロセッサが前記第1のチャネルおよび前記第2のチャネルを使用することによってデータを送信するとき、前記第3のチャネルおよび前記第4のチャネルがアイドル状態である場合、前記第1のベースバンドプロセッサにより、前記第1のチャネル、前記第2のチャネル、前記第3のチャネル、および前記第4のチャネルを使用することによって前記データを送信するステップ、または
前記第1のベースバンドプロセッサが前記第1のチャネルおよび前記第2のチャネルを使用することによってデータを送信するとき、前記第3のチャネルがアイドル状態である場合、前記第1のベースバンドプロセッサにより、前記第1のチャネル、前記第2のチャネル、および前記第3のチャネルを使用することによって前記データを送信するステップ
を含む、方法。
【請求項７】
前記第1のベースバンドプロセッサおよび前記第2のベースバンドプロセッサが、1つのプロセッサ内で統合されるか、または
前記第1のベースバンドプロセッサおよび前記第2のベースバンドプロセッサが、前記端末内で独立して配置される、請求項6に記載の方法。
【請求項８】
前記第2のアンテナおよび前記第4のアンテナが同じアンテナであるか、または
前記第2のアンテナおよび前記第4のアンテナが前記端末内で独立して配置される、請求項6または7に記載の方法。
【請求項９】
前記第1のアンテナおよび前記第3のアンテナがメインアンテナであり、前記第2のアンテナおよび前記第4のアンテナがダイバーシティアンテナである、請求項6から8のいずれか一項に記載の方法。
【請求項１０】
前記第3世代または後世代のモバイル通信技術が、第3世代モバイル通信技術3G、第4世代モバイル通信技術4G、または第5世代モバイル通信技術5Gを含む、請求項6から9のいずれか一項に記載の方法。
【発明の詳細な説明】
【技術分野】
【０００１】
本出願は、2015年7月30日に中国特許庁に出願された「TERMINAL AND COMMUNICATION METHOD THEREOF」と題する、中国特許出願第201510465878.7号、および2015年8月12日に中国特許庁に出願された「TERMINAL AND COMMUNICATION METHOD THEREOF」と題する、中国特許出願第201510493931.4号の優先権を主張するものであり、これらの出願の全体が参照により本明細書に組み込まれる。
【０００２】
本発明の実施形態は、通信技術の分野に関し、詳細には、端末およびその通信方法に関する。
【背景技術】
【０００３】
3Gは第3世代のモバイル通信技術であり、高速データ伝送をサポートするセルラーモバイル通信技術である。ロングタームエボリューション（long term evolution、略してLTE）は、第3世代パートナーシッププロジェクト（3rd generation partnership project、略して3GPP）によって開発された新世代のモバイル通信規格である。他の通信規格と比較して、LTEは、より高い伝送レートおよびより良い伝送品質を有し、現在、人気がある通信規格になっている。既存の第4世代モバイル通信技術（4G）は、2つの規格：TD-LTE（time division long term evolution、時分割ロングタームエボリューション）およびFDD-LTE（frequency division duplex long term evolution、周波数分割二重ロングタームエボリューション）を含む場合がある。
【０００４】
2つのSIM（subscriber identity module、加入者識別モジュール）カードは、デュアルSIM携帯電話に同時に挿入することができ、2つのカードは両方ともスタンバイモードにある。しかしながら、既存のデュアルSIM携帯電話では、1つのSIMカードのみが3Gまたは4Gのサービスをサポートすることができ、他のSIMは2Gサービスをサポートすることしかできない。したがって、既存のデュアルSIM携帯電話では、2つのSIMカードは、3Gまたは4Gのサービスを同時にサポートすることができない。
【発明の概要】
【課題を解決するための手段】
【０００５】
本発明の実施態様は、複数のSIMカードの3Gまたは後世代のサービスをサポートするために、端末およびその通信方法を提供する。
【０００６】
本発明の実施態様の第1の態様は、第1のベースバンドプロセッサと、第2のベースバンドプロセッサと、第1の無線周波数チップと、第2の無線周波数チップと、第1のアンテナと、第2のアンテナと、第3のアンテナと、第4のアンテナとを含む端末を提供し、第1のベースバンドプロセッサは第1のカードスロットに接続され、第2のベースバンドプロセッサは第2のカードスロットに接続され、第1のベースバンドプロセッサ、第2のベースバンドプロセッサ、第1の無線周波数チップ、および第2の無線周波数チップは、すべて第3世代または後世代のモバイル通信技術のアクセス能力をサポートし、第1のベースバンドプロセッサは第1の無線周波数チップを使用することによって第1のアンテナに接続され、第1の無線周波数チップは第1のアンテナに接続されて第1のチャネルを形成し、第1のベースバンドプロセッサは第1の無線周波数チップを使用することによって第2のアンテナに接続され、第1の無線周波数チップは第2のアンテナに接続されて第2のチャネルを形成し、第2のベースバンドプロセッサは第2の無線周波数チップを使用することによって第3のアンテナに接続され、第2の無線周波数チップは第3のアンテナに接続されて第3のチャネルを形成し、第2のベースバンドプロセッサは第2の無線周波数チップを使用することによって第4のアンテナに接続され、第2の無線周波数チップは第4のアンテナに接続されて第4のチャネルを形成し、第1のチャネル、第2のチャネル、第3のチャネル、および第4のチャネルは、端末と外部デバイスとの間でデータを送信するように構成される。
【０００７】
第1の態様を参照して、第1の態様の第1の可能な実装形態では、第1のベースバンドプロセッサはスイッチを使用することによって第2の無線周波数チップに接続され、第1のベースバンドプロセッサは、第1のベースバンドプロセッサが第1のチャネルを使用することによってデータを送信するとき、第3のチャネルがアイドル状態である場合、第1のベースバンドプロセッサが第1のチャネルおよび第3のチャネルを使用することによってデータを送信するようにさらに構成される。
【０００８】
第1の態様またはその第1の可能な実装形態を参照して、第1の態様の第2の可能な実装形態では、第1のベースバンドプロセッサは、第1のベースバンドプロセッサが第1のチャネルおよび第2のチャネルを使用することによってデータを送信するとき、第3のチャネルおよび第4のチャネルがアイドル状態である場合、第1のベースバンドプロセッサが第1のチャネル、第2のチャネル、第3のチャネル、および第4のチャネルを使用することによってデータを送信するか、または第1のベースバンドプロセッサが第1のチャネルおよび第2のチャネルを使用することによってデータを送信するとき、第3のチャネルがアイドル状態である場合、第1のベースバンドプロセッサが第1のチャネル、第2のチャネル、および第3のチャネルを使用することによってデータを送信するようにさらに構成される。
【０００９】
第1の態様またはその第1もしくは第2の可能な実装形態を参照して、第1の態様の第3の可能な実装形態では、第1のベースバンドプロセッサおよび第2のベースバンドプロセッサは、1つのプロセッサ内で統合されるか、または第1のベースバンドプロセッサおよび第2のベースバンドプロセッサは、端末内で独立して配置される。
【００１０】
第1の態様またはその第1から第3の可能な実装形態のうちのいずれか1つを参照して、第1の態様の第4の可能な実装形態では、第2のアンテナおよび第4のアンテナは同じアンテナであるか、または第2のアンテナおよび第4のアンテナは端末内で独立して配置される。
【００１１】
第1の態様またはその第1から第4の可能な実装形態のうちのいずれか1つを参照して、第1の態様の第5の可能な実装形態では、第1のアンテナおよび第3のアンテナはメインアンテナであり、第2のアンテナおよび第4のアンテナはダイバーシティアンテナである。
【００１２】
第1の態様またはその第1から第5の可能な実装形態のうちのいずれか1つを参照して、第1の態様の第6の可能な実装形態では、第3世代または後世代のモバイル通信技術は、第3世代モバイル通信技術3G、第4世代モバイル通信技術4G、または第5世代モバイル通信技術5Gを含む。
【００１３】
本発明の実施態様の第2の態様は、端末の通信方法を提供する。端末は、第1のベースバンドプロセッサと、第2のベースバンドプロセッサと、第1の無線周波数チップと、第2の無線周波数チップと、第1のアンテナと、第2のアンテナと、第3のアンテナと、第4のアンテナとを含み、第1のベースバンドプロセッサは第1のカードスロットに接続され、第2のベースバンドプロセッサは第2のカードスロットに接続され、第1のベースバンドプロセッサ、第2のベースバンドプロセッサ、第1の無線周波数チップ、および第2の無線周波数チップは、すべて第3世代または後世代のモバイル通信技術のアクセス能力をサポートし、第1のベースバンドプロセッサは第1の無線周波数チップを使用することによって第1のアンテナに接続され、第1の無線周波数チップは第1のアンテナに接続されて第1のチャネルを形成し、第1のベースバンドプロセッサは第1の無線周波数チップを使用することによって第2のアンテナに接続され、第1の無線周波数チップは第2のアンテナに接続されて第2のチャネルを形成し、第2のベースバンドプロセッサは第2の無線周波数チップを使用することによって第3のアンテナに接続され、第2の無線周波数チップは第3のアンテナに接続されて第3のチャネルを形成し、第2のベースバンドプロセッサは第2の無線周波数チップを使用することによって第4のアンテナに接続され、第2の無線周波数チップは第4のアンテナに接続されて第4のチャネルを形成し、第1のチャネル、第2のチャネル、第3のチャネル、および第4のチャネルは、端末と外部デバイスとの間でデータを送信するように構成され、第1のベースバンドプロセッサはスイッチを使用することによって第2の無線周波数チップに接続され、
通信方法は、第1のベースバンドプロセッサが第1のチャネルを使用することによってデータを送信するとき、第3のチャネルがアイドル状態である場合、第1のベースバンドプロセッサにより、第1のチャネルおよび第3のチャネルを使用することによってデータを送信するステップ、または第1のベースバンドプロセッサが第1のチャネルおよび第2のチャネルを使用することによってデータを送信するとき、第3のチャネルおよび第4のチャネルがアイドル状態である場合、第1のベースバンドプロセッサにより、第1のチャネル、第2のチャネル、第3のチャネル、および第4のチャネルを使用することによってデータを送信するステップ、または第1のベースバンドプロセッサが第1のチャネルおよび第2のチャネルを使用することによってデータを送信するとき、第3のチャネルがアイドル状態である場合、第1のベースバンドプロセッサにより、第1のチャネル、第2のチャネル、および第3のチャネルを使用することによってデータを送信するステップを含む。
【００１４】
第2の態様を参照して、第2の態様の第1の可能な実装形態では、第1のベースバンドプロセッサおよび第2のベースバンドプロセッサは、1つのプロセッサ内で統合されるか、または第1のベースバンドプロセッサおよび第2のベースバンドプロセッサは、端末内で独立して配置される。
【００１５】
第2の態様またはその第1の可能な実装形態を参照して、第2の態様の第2の可能な実装形態では、第2のアンテナおよび第4のアンテナは同じアンテナであるか、または第2のアンテナおよび第4のアンテナは端末内で独立して配置される。
【００１６】
第2の態様またはその第1もしくは第2の可能な実装形態を参照して、第2の態様の第3の可能な実装形態では、第1のアンテナおよび第3のアンテナはメインアンテナであり、第2のアンテナおよび第4のアンテナはダイバーシティアンテナである。
【００１７】
第2の態様またはその第1から第3の可能な実装形態のうちのいずれか1つを参照して、第1の態様の第6の可能な実装形態では、第3世代または後世代のモバイル通信技術は、第3世代モバイル通信技術3G、第4世代モバイル通信技術4G、または第5世代モバイル通信技術5Gを含む。
【００１８】
本発明の実施態様によれば、端末は第1のベースバンドプロセッサおよび第2のベースバンドプロセッサが設けられている。第1のベースバンドプロセッサは第1の無線周波数チップを使用することによって第1のアンテナおよび第2のアンテナに接続され、第2のベースバンドプロセッサは第2の無線周波数チップを使用することによって第3のアンテナおよび第4のアンテナに接続される。第1の無線周波数チップは第1のアンテナに接続されて第1のチャネルを形成し、第1の無線周波数チップは第2のアンテナに接続されて第2のチャネルを形成し、第2の無線周波数チップは第3のアンテナに接続されて第3のチャネルを形成し、第2の無線周波数チップは第4のアンテナに接続されて第4のチャネルを形成する。第1のベースバンドプロセッサ、第2のベースバンドプロセッサ、第1の無線周波数チップ、および第2の無線周波数チップは、すべて第3世代または後世代のアクセス能力をサポートする。第1のベースバンドプロセッサおよび第2のベースバンドプロセッサは、各々、データを送信し、3Gまたは後世代のアクセス能力をサポートするように構成されたチャネルが設けられるので、2つのSIMカードは、3Gまたは後世代のサービスを同時に実施することができる。
【図面の簡単な説明】
【００１９】
【図１】本発明の一実施形態による、端末の概略構造図である。
【図２】本発明の一実施形態による、別の端末の概略構造図である。
【図３】本発明の一実施形態による、端末の通信方法のフローチャートである。
【発明を実施するための形態】
【００２０】
以下の説明では、限定するのではなく例示するために、特定のシステム構造、インターフェース、および技術などの具体的な詳細が、本発明を完全に理解するために提供される。しかしながら、本発明がこれらの具体的な詳細なしに他の実装方式で実践される場合があることを、当業者は知るべきである。他の場合、本発明が不要な詳細によって曖昧にされることなく記載されるように、良く知られた装置、回路、および方法の詳細説明は省略される。
【００２１】
本発明の実施形態において記載される端末は、タブレットコンピュータ、ノートブックコンピュータ、UMPC（Ultra-mobile Personal Computer、ウルトラモバイルパーソナルコンピュータ）、ネットブック、またはPDA（Personal Digital Assistant、携帯情報端末）などの端末デバイスであり得る。
【００２２】
図1を参照すると、図1は、本発明の一実施形態による、端末の概略構造図である。この実施形態では、端末100は、第1のベースバンドプロセッサ110と、第2のベースバンドプロセッサ120と、第1の無線周波数チップ130と、第2の無線周波数チップ140と、第1のアンテナ151と、第2のアンテナ152と、第3のアンテナ153と、第4のアンテナ154と、第1のベースバンドプロセッサ110に接続された第1のカードスロット160と、第2のベースバンドプロセッサ120に接続された第2のカードスロット170とを含む。第1のカードスロット160および第2のカードスロット170は、両方ともSIMカードを収容するように構成される。第1のベースバンドプロセッサ110、第2のベースバンドプロセッサ120、第1の無線周波数チップ130、および第2の無線周波数チップ140は、すべて第3世代または後世代のモバイル通信技術のアクセス能力をサポートする。第3世代または後世代のモバイル通信技術は、第3世代モバイル通信技術（3G）、第4世代モバイル通信技術（4G）、第5世代モバイル通信技術（5G）などを含む。4GはTD-LTEおよびFDD-LTEを含む場合があり、LTEアドバンスト（LTE Advanced）も含む場合があり、国際電気通信連合によって記述された次世代ワイヤレス通信規格IMT-Advanced（international mobile telephony advanced、国際モバイル電話通信アドバンスト）を満たす別の技術をさらに含む場合がある。
【００２３】
第1のベースバンドプロセッサ110は第1の無線周波数チップ130を使用することによって第1のアンテナ151に接続され、第1のベースバンドプロセッサ110は第1の無線周波数チップ130を使用することによって第2のアンテナ152に接続され、第2のベースバンドプロセッサ120は第2の無線周波数チップ140を使用することによって第3のアンテナ153に接続され、第2のベースバンドプロセッサ120は第2の無線周波数チップ140を使用することによって第4のアンテナ154に接続される。
【００２４】
第1の無線周波数チップ130は第1のアンテナ151に接続されて第1のチャネルを形成し、第1の無線周波数チップ130は第2のアンテナ152に接続されて第2のチャネルを形成し、第2の無線周波数チップ140は第3のアンテナ153に接続されて第3のチャネルを形成し、第2の無線周波数チップ140は第4のアンテナ154に接続されて第4のチャネルを形成する。
【００２５】
第1のチャネル、第2のチャネル、第3のチャネル、および第4のチャネルは、端末100と外部デバイスとの間でデータを送信するように構成される。外部デバイスは、基地局などの任意のネットワーク側デバイスであり得るか、または別の端末であり得る。
【００２６】
第1のベースバンドプロセッサ110は、第3のチャネルまたは第4のチャネルに選択的に接続される場合がある。たとえば、第1のベースバンドプロセッサ110と第2の無線周波数チップ140との間にスイッチ180が配置される場合があり、第1のベースバンドプロセッサは、スイッチ180を制御することにより、第3のチャネルまたは第4のチャネルに接続されるか、またはそれらから切断される場合がある。具体的には、図1に示されたように、第1のベースバンドプロセッサ110は、スイッチ180を使用することによって第2の無線周波数チップ140に接続される場合がある。第3のチャネルを使用することによってデータを送信する必要があるとき、第1のベースバンドプロセッサ110は、スイッチ180を制御することによって第3のチャネルに接続され、第4のチャネルを使用することによってデータを送信する必要があるとき、第1のベースバンドプロセッサ110は、スイッチ180を制御することによって第4のチャネルに接続される。スイッチ180は複数のチャネルを接続または切断する機能を有するスイッチであり得るか、またはスイッチ180は複数のスイッチであり得るし、各チャネル内に1つのスイッチが配置されることに留意されたい。
【００２７】
この実施形態の一実装形態では、第1のアンテナ151および第3のアンテナ153は、アップリンクデータおよびダウンリンクデータを送信するように構成されたメインアンテナであり得る。それに対応して、第1のチャネルおよび第3のチャネルも、アップリンクデータおよびダウンリンクデータを送信するように構成される。第2のアンテナ152および第4のアンテナ154は、ダウンリンクデータを送信するように構成されたダイバーシティアンテナであり得る。それに対応して、第2のチャネルおよび第4のチャネルも、ダウンリンクデータを送信するように構成される。前述のアンテナは前述のタイプに限定されないことを理解されたい。すなわち、別の実装形態では、前述のアンテナは、実際の要件に応じて対応するタイプのアンテナとして設定される場合がある。たとえば、前述のアンテナは、すべてアップリンクデータおよびダウンリンクデータを送信することができるアンテナである。代替として、第1のアンテナおよび第3のアンテナはアップリンクデータを送信することができるアンテナであり、第2のアンテナおよび第4のアンテナはダウンリンクデータを送信することができるアンテナである。アップリンクデータは端末によってネットワーク側に送信されるデータを指し、ダウンリンクデータはネットワーク側によって端末に送信されるデータを指す。
【００２８】
前述の端末構造に基づいて、第1のベースバンドプロセッサ110に接続された第1のカードスロット160にSIMカードが入れられたことを検出した後、第1のベースバンドプロセッサ110は、第1のチャネルおよび第2のチャネルを使用することにより、外部デバイスとの第3世代または後世代のモバイル通信（すなわち、3Gまたは後世代のサービス）を実施することができる。同様に、第2のベースバンドプロセッサ120に接続された第2のカードスロット170にSIMカードが入れられたことを検出した後、第2のベースバンドプロセッサ120は、第3のチャネルおよび第4のチャネルを使用することにより、外部デバイスとの第3世代または後世代のモバイル通信を実施することができる。第1のベースバンドプロセッサと第2のベースバンドプロセッサの両方は、データを送信するように構成されたチャネルが設けられ、第1のベースバンドプロセッサおよび第2のベースバンドプロセッサは、第3世代または後世代のモバイル通信を同時に実施することができる。すなわち、端末は複数のSIMの3Gまたは後世代のサービスを同時にサポートすることができる。
【００２９】
さらに、アンテナの使用率を改善し、データ伝送レートを上げるために、第1のベースバンドプロセッサ110が外部デバイスとのデータ伝送を実施するとき、データ伝送は、第2のベースバンドプロセッサ120に接続されたチャネルを使用することによって実施される場合もある。たとえば、第1のベースバンドプロセッサ110が第1のチャネルを使用することによってデータを送信するとき、第3のチャネルがアイドル状態である場合、第1のベースバンドプロセッサ110は、第1のチャネルおよび第3のチャネルを使用することによってデータを送信することができる。別の例を挙げると、第1のベースバンドプロセッサ110が第1のチャネルおよび第2のチャネルを使用することによってデータを送信するとき、第3のチャネルおよび第4のチャネルがアイドル状態である場合、第1のベースバンドプロセッサ110は、第1のチャネル、第2のチャネル、第3のチャネル、および第4のチャネルを使用することによってデータを送信する。代替として、第1のベースバンドプロセッサ110が第1のチャネルおよび第2のチャネルを使用することによってデータを送信するとき、第3のチャネルがアイドル状態である場合、第1のベースバンドプロセッサ110は、第1のチャネル、第2のチャネル、および第3のチャネルを使用することによってデータを送信する。第3のチャネルまたは第4のチャネルがアイドル状態である、すなわち、第2のベースバンドプロセッサ120が現在第3のチャネルまたは第4のチャネルを使用することによってデータを送信していない。
【００３０】
2つのベースバンドプロセッサ（すなわち、第1のベースバンドプロセッサおよび第2のベースバンドプロセッサ）は、両方とも2G、3G、および4Gのアクセス能力をサポートすることに留意されたい。すなわち、第1のベースバンドプロセッサは第1のチャネルおよび第2のチャネルに接続されて4Gのアクセス能力をサポートすることができ、さらに、第1のベースバンドプロセッサ、第1の無線周波数チップ、および第1のアンテナの間に、2Gおよび／または3Gのアクセス能力をサポートするチャネルが存在する場合もある。第2のベースバンドプロセッサは第3のチャネルおよび第4のチャネルに接続されて4Gのアクセス能力をサポートすることができ、さらに、第2のベースバンドプロセッサ、第2の無線周波数チップ、および第2のアンテナの間に、2Gおよび／または3Gのアクセス能力をサポートするチャネルが存在する場合もある。第1のチャネルと第2のチャネルの両方がアイドル状態であるとき（すなわち、第1のベースバンドプロセッサが4Gサービスを実施していないとき）、第1のチャネルおよび第2のチャネルは第2のベースバンドプロセッサによって使用される場合がある。すなわち、第2のベースバンドプロセッサは、第1のチャネル、第2のチャネル、第3のチャネル、および第4のチャネルを使用することによって4Gサービスを実施することができる。この場合、第1のベースバンドプロセッサは、別のチャネルを使用することによって2G／3Gのアクセス能力をサポートすることができ、すなわち、第1のベースバンドプロセッサは、現在、2G／3Gサービスを実施することができる。2Gおよび3Gをサポートするアンテナならびに4Gをサポートするアンテナはアンテナを共有することができ、アンテナの共有はダイプレクサ（diplexer）を使用することによって実装される場合がある。
【００３１】
本発明の実施形態におけるベースバンドプロセッサは、Modem（モデム）チップを含む場合があり、ModemチップおよびCPUを含む場合もあり、またはModemチップおよびデジタル信号プロセッサ（Digital Signal Processor、略してDSP）を含む場合がある。ベースバンドプロセッサは、回路または集積回路（Integrated Circuit、略してIC）を含む場合がある。たとえば、ベースバンドプロセッサは、単一のパッケージICを含む場合があるか、または、同じ機能もしくは異なる機能を有する複数の接続パッケージICを含む場合がある。端末デバイスでは、ベースバンドプロセッサおよびアプリケーションプロセッサ（Application Processor）は、独立したデバイスの場合があるか、またはデバイス内で統合される場合がある。
【００３２】
以下で、具体的な例を参照して、端末100の通信動作原理を記載する。
【００３３】
端末100がオンにされると、第1のベースバンドプロセッサ110および第2のベースバンドプロセッサ120は、キャンプオンされるべきセルであり、第1のベースバンドプロセッサ110および第2のベースバンドプロセッサ120に接続されたSIMカードによってサポートされるセルを個別に検索し、第1のベースバンドプロセッサ110および第2のベースバンドプロセッサ120に接続されたSIMカードの識別情報に従って、キャンプオンされるべき対応するセルの通信ネットワークに個別にアクセスする。たとえば、第1のベースバンドプロセッサ110は、第1のカードスロット160を使用することにより、モバイル事業者（一事業者）の4G SIMカードに接続され、第2のベースバンドプロセッサ120は、第2のカードスロット170を使用することにより、ユニコム事業者（一事業者）の4G SIMカードに接続される。第1のベースバンドプロセッサ110は、第1のチャネルおよび第2のチャネルを使用することにより、キャンプオンされるべきセルのモバイルネットワークへの接続を確立する。第2のベースバンドプロセッサ120は、第3のチャネルおよび第4のチャネルを使用することにより、キャンプオンされるべきセルのモバイルネットワークへの接続を確立する。
【００３４】
この例では、端末の第1のアンテナ151および第3のアンテナ153はメインアンテナであり、第2のアンテナ152および第4のアンテナ154はダイバーシティアンテナである。第1のベースバンドプロセッサ110がデータアップロードサービス要求などのアップリンクサービス処理要求を受信すると、第1のベースバンドプロセッサ110は、第1のチャネルを使用することによってアップリンクデータを送信する。この場合、第1のベースバンドプロセッサ110に接続されたモバイルネットワークがマルチチャネル伝送をサポートすることができると判断した後、第1のベースバンドプロセッサ110は、第2のベースバンドプロセッサ120に接続され、同様にアップリンクデータを送信するように構成された第3のチャネルがアイドル状態であるかどうかを判定する。第3のチャネルがアイドル状態である場合、第1のチャネルおよび第3のチャネルはモバイルネットワークに一緒にアクセスし、アップリンクデータは、第1のチャネルおよび第3のチャネルを使用することによってモバイルネットワークに送信される。アップリンクデータ伝送が完了すると、第1のベースバンドプロセッサ110は第3のチャネルを解放することができる。
【００３５】
第1のベースバンドプロセッサ110がデータダウンロードサービス要求などのダウンリンクサービス処理要求を受信すると、第1のベースバンドプロセッサ110は、第1のチャネルおよび第2のチャネルを使用することによってダウンリンクデータを受信する。この場合、第1のベースバンドプロセッサ110に接続されたモバイルネットワークがマルチチャネル伝送をサポートすることができると判断した後、第1のベースバンドプロセッサ110は、第2のベースバンドプロセッサ120に接続され、同様にダウンリンクデータを送信するように構成された第3のチャネルおよび第4のチャネルがアイドル状態であるかどうかを判定する。第3のチャネルおよび第4のチャネルがアイドル状態である場合、第1のチャネル、第2のチャネル、および第3のチャネルまたは第4のチャネルのうちの少なくとも1つはモバイルネットワークに一緒にアクセスし、モバイルネットワークを使用することによって送信されたダウンロードデータは、第1のチャネル、第2のチャネル、および第3のチャネルまたは第4のチャネルのうちの少なくとも1つを使用することによって一緒に受信される。ダウンリンクデータ伝送が完了すると、第1のベースバンドプロセッサは、占有された第3のチャネルおよび／または第4のチャネルを解放することができる。
【００３６】
第1のベースバンドプロセッサ110は、第1のベースバンドプロセッサ110に接続されたネットワークまたは処理されるべきサービスの要件に従って、第3のチャネルまたは第4のチャネルのうちのいずれか1つまたは2つを選択してデータを送信することができる。サービスの要件には、サービスの送信されるべきデータの量、通信レートおよび通信品質に対する要件などが含まれる。たとえば、第1のベースバンドプロセッサ110に接続されたネットワークが3チャネルデータ伝送のみをサポートするか、または通信品質に対する現在のサービスの要件が高くなく、送信されるべきデータの量が大きくない場合、第1のベースバンドプロセッサ110は、第1のチャネルおよび第2のチャネルと一緒にデータを送信するために第3のチャネルのみを選択することができる。第1のベースバンドプロセッサ110に接続されたネットワークが4チャネルデータ伝送をサポートすることができるか、または通信品質に対する現在のサービスの要件が高いか、または送信されるべきデータの量が大きい場合、第1のベースバンドプロセッサ110は、第1のチャネルおよび第2のチャネルと一緒にデータを送信するために第3のチャネルおよび第4のチャネルを選択することができる。
【００３７】
データを送受信するために複数のアンテナが使用されるとき、MIMO（Multiple-Input Multiple-Output、多入力多出力）技術が使用される場合がある。第1のベースバンドプロセッサ110およびその通信ネットワークが両方ともMIMOをサポートするとき、第1のベースバンドプロセッサ110は、第1のベースバンドプロセッサ110の対応するチャネル上のアンテナと、第2のベースバンドプロセッサの対応するアイドルチャネル上のアンテナとを使用して、MIMOアンテナを形成することができる。すなわち、複数の送信アンテナおよび受信アンテナが送信端および受信端で個別に使用され、その結果、送信端および受信端の複数のアンテナを使用することによって信号が送信および受信されて、データ伝送品質を改善する。たとえば、第1のベースバンドプロセッサ110が第1のチャネルを使用することによってアップリンクデータを送信し、第3のチャネルがアイドル状態であるとき、第1のベースバンドプロセッサ110は、MIMOアンテナを形成してアップリンクデータを送信するために、第1のアンテナおよび第3のアンテナを使用する。別の例を挙げると、第1のベースバンドプロセッサ110が第1のチャネルおよび第2のチャネルを使用することによってダウンリンクデータを受信し、第3のチャネルがアイドル状態であるとき、第1のベースバンドプロセッサ110は、MIMOアンテナを形成してダウンリンクデータを受信するために、第1のアンテナ、第2のアンテナ、および第3のアンテナを使用する。
【００３８】
第1のベースバンドプロセッサ110が第2のベースバンドプロセッサ120に接続されたチャネルを使用することによってデータを送信するとき、第2のベースバンドプロセッサ120がデータ伝送要求を有することが検出された場合、第2のベースバンドプロセッサ120に接続された少なくとも1つのチャネルが譲られ、その結果、第2のベースバンドプロセッサ120が譲られたチャネルを使用することによってデータ伝送を実施することを理解されたい。
【００３９】
端末100では、第2のベースバンドプロセッサ120は第1のベースバンドプロセッサ110と同様である。外部デバイスとのデータ伝送を実施するとき、第2のベースバンドプロセッサ120は、第1のベースバンドプロセッサ110に接続されたチャネルを使用してデータ伝送を実施する場合もある。たとえば、第2のベースバンドプロセッサ120は、スイッチ180を使用することによって第1の無線周波数チップ130に接続される。第2のベースバンドプロセッサ120は、スイッチ180を制御することにより、第1のチャネルまたは第2のチャネルに接続されるか、またはそれらから切断される場合がある。第2のベースバンドプロセッサ120が第3のチャネルを使用することによってデータを送信するとき、第1のチャネルがアイドル状態である場合、第2のベースバンドプロセッサ120は、第1のチャネルおよび第3のチャネルを使用することによってデータを送信することができる。別の例を挙げると、第2のベースバンドプロセッサ120が第3のチャネルおよび第4のチャネルを使用することによってデータを送信するとき、第1のチャネルと第2のチャネルの両方がアイドル状態である場合、第2のベースバンドプロセッサ120は、第1のチャネル、第2のチャネル、第3のチャネル、および第4のチャネルを使用することによってデータを送信する。代替として、第2のベースバンドプロセッサ120が第3のチャネルおよび第4のチャネルを使用することによってデータを送信するとき、第1のチャネルがアイドル状態である場合、第2のベースバンドプロセッサ120は、第1のチャネル、第3のチャネル、および第4のチャネルを使用することによってデータを送信する。詳細については前述の第1のベースバンドプロセッサの通信方式の具体的な説明を参照されたく、本明細書では詳細は再び記載されない。
【００４０】
この実施形態では、第2のアンテナ152および第4のアンテナ154が端末100内で独立して配置され、第1のベースバンドプロセッサ110および第2のベースバンドプロセッサ120が端末100内で独立して配置され、第1の無線周波数チップ130および第2の無線周波数チップ140が端末100内で独立して配置されることに留意されたい。しかしながら、別の実施形態では、図2に示されたように、第2のアンテナ152および第4のアンテナ154は同じアンテナの場合があり、第1のベースバンドプロセッサ110および第2のベースバンドプロセッサ120もプロセッサ192内で統合される場合があり、第1の無線周波数チップ130および第2の無線周波数チップ140も同じ無線周波数チップ191内に配置される場合がある。第2のアンテナ152および第4のアンテナ154は、同じアンテナ、たとえばダイバーシティアンテナである。すなわち、第1のベースバンドプロセッサ110および第2のベースバンドプロセッサ120は、ダイバーシティアンテナを共有する場合がある。
【００４１】
図3を参照すると、図3は、本発明の一実施形態による、端末の通信方法のフローチャートである。端末は前述の実施形態において記載されている。詳細については前述の実施形態の説明を参照されたく、本明細書では詳細は再び記載されない。端末の通信方法は以下のステップを含む。
【００４２】
S301：第1のベースバンドプロセッサが第1のチャネルを使用することによってデータを送信するとき、第3のチャネルがアイドル状態である場合、第1のベースバンドプロセッサは、第1のチャネルおよび第3のチャネルを使用することによってデータを送信する。
【００４３】
たとえば、端末の第1のアンテナおよび第3のアンテナは前述のメインアンテナであり、第2のアンテナおよび第4のアンテナは前述のダイバーシティアンテナである。すなわち、第1のチャネルおよび第3のチャネルはアップリンクデータおよびダウンリンクデータを送信するように構成され、第2のチャネルおよび第4のチャネルはダウンリンクデータを送信するように構成される。
【００４４】
第1のベースバンドプロセッサがデータアップロードサービス要求などのアップリンクサービス処理要求を受信すると、第1のベースバンドプロセッサは、第1のチャネルを使用することによってアップリンクデータを送信する。この場合、第1のベースバンドプロセッサに接続されたモバイルネットワークがマルチチャネル伝送をサポートすることができると判断した後、第1のベースバンドプロセッサは、第2のベースバンドプロセッサに接続され、同様にアップリンクデータを送信するように構成された第3のチャネルがアイドル状態であるかどうかを判定する。第3のチャネルがアイドル状態である場合、第1のチャネルおよび第3のチャネルはモバイルネットワークに一緒にアクセスし、アップリンクデータは、第1のチャネルおよび第3のチャネルを使用することによってモバイルネットワークに送信される。
【００４５】
アップリンクデータ伝送が完了すると、第1のベースバンドプロセッサは第3のチャネルを解放することができる。
【００４６】
S302：第1のベースバンドプロセッサが第1のチャネルおよび第2のチャネルを使用することによってデータを送信するとき、第3のチャネルと第4のチャネルの両方がアイドル状態である場合、第1のベースバンドプロセッサは、第1のチャネル、第2のチャネル、第3のチャネル、および第4のチャネルを使用することによってデータを送信し、または第1のベースバンドプロセッサが第1のチャネルおよび第2のチャネルを使用することによってデータを送信するとき、第3のチャネルがアイドル状態である場合、第1のベースバンドプロセッサは、第1のチャネル、第2のチャネル、および第3のチャネルを使用することによってデータを送信する。
【００４７】
S301の例に続いて、第1のベースバンドプロセッサがデータダウンロードサービス要求などのダウンリンクサービス処理要求を受信すると、第1のベースバンドプロセッサ110は、第1のチャネルおよび第2のチャネルを使用することによってダウンリンクデータを受信する。この場合、第1のベースバンドプロセッサ110に接続されたモバイルネットワークがマルチチャネル伝送をサポートすることができると判断した後、第1のベースバンドプロセッサ110は、第2のベースバンドプロセッサに接続され、同様にアップリンクデータを送信するように構成された第3のチャネルおよび第4のチャネルがアイドル状態であるかどうかを判定する。第3のチャネルおよび第4のチャネルがアイドル状態である場合、第1のチャネル、第2のチャネル、および第3のチャネルまたは第4のチャネルのうちの少なくとも1つはモバイルネットワークに一緒にアクセスし、モバイルネットワークを使用することによって送信されたダウンロードデータは、第1のチャネル、第2のチャネル、および第3のチャネルまたは第4のチャネルのうちの少なくとも1つを使用することによって一緒に受信される。
【００４８】
ダウンリンクデータ伝送が完了すると、第1のベースバンドプロセッサは、占有された第3のチャネルおよび／または第4のチャネルを解放することができる。
【００４９】
第1のベースバンドプロセッサは、第1のベースバンドプロセッサに接続されたネットワークまたは処理されるべきサービスの要件に従って、第3のチャネルまたは第4のチャネルのうちのいずれか1つまたは2つを選択してデータを送信することができる。サービスの要件には、サービスの送信されるべきデータの量、通信レートおよび通信品質に対する要件などが含まれる。たとえば、第1のベースバンドプロセッサに接続されたネットワークが3チャネルデータ伝送のみをサポートするか、または通信品質に対する現在のサービスの要件が高くなく、送信されるべきデータの量が大きくない場合、第1のベースバンドプロセッサは、第1のチャネルおよび第2のチャネルと一緒にデータを送信するために第3のチャネルのみを選択することができる。第1のベースバンドプロセッサに接続されたネットワークが4チャネルデータ伝送をサポートすることができるか、または通信品質に対する現在のサービスの要件が高いか、または送信されるべきデータの量が大きい場合、第1のベースバンドプロセッサは、第1のチャネルおよび第2のチャネルと一緒にデータを送信するために第3のチャネルおよび第4のチャネルを選択することができる。
【００５０】
他の実施形態では、端末の通信方法は、ステップS301またはステップS302のみを含む場合がある。
【００５１】
別の実施形態では、S301は、具体的に、第1のベースバンドプロセッサが第1のチャネルを使用することによってアップリンクデータを送信し、第3のチャネルがアイドル状態であるとき、第1のベースバンドプロセッサにより、MIMOアンテナを形成してアップリンクデータを送信するために、第1のアンテナおよび第3のアンテナを使用することを含む場合がある。S302は、具体的に、第1のベースバンドプロセッサが第1のチャネルおよび第2のチャネルを使用することによってダウンリンクデータを受信し、第3のチャネルがアイドル状態であるとき、第1のベースバンドプロセッサにより、MIMOアンテナを形成してダウンリンクデータを受信するために、第1のアンテナ、第2のアンテナ、および第3のアンテナを使用すること、または第1のベースバンドプロセッサが第1のチャネルおよび第2のチャネルを使用することによってダウンリンクデータを受信し、第3のチャネルと第4のチャネルの両方がアイドル状態であるとき、第1のベースバンドプロセッサにより、MIMOアンテナを形成してダウンリンクデータを受信するために、第1のアンテナ、第2のアンテナ、第3のアンテナ、および第4のアンテナを使用することを含む場合がある。
【００５２】
前述の実施形態では、通信方法は、第2のベースバンドプロセッサに接続されたチャネル（たとえば、第3のチャネル、または第3のチャネルおよび第4のチャネル）を使用することによってデータを送信するとき、第1のベースバンドプロセッサにより、第2のベースバンドプロセッサがデータ伝送要求を有することが検出された場合、第2のベースバンドプロセッサに接続された少なくとも1つのチャネルを譲るステップであって、その結果、第2のベースバンドプロセッサが譲られたチャネルを使用することによってデータ伝送を実施する、ステップをさらに含む場合がある。
【００５３】
前述の実施形態では、通信方法は、外部デバイスとのデータ伝送を実施するとき、第2のベースバンドプロセッサにより、第1のベースバンドプロセッサに接続されたチャネル（たとえば、第1のチャネル、または第1のチャネルおよび第2のチャネル）を使用することによってデータ伝送を実施するステップをさらに含む場合がある。詳細は、第1のベースバンドプロセッサにより、第2のベースバンドプロセッサのチャネルを使用することによってデータ伝送を実施するステップと同様である。たとえば、第2のベースバンドプロセッサが第3のチャネルを使用することによってデータを送信するとき、第1のチャネルがアイドル状態である場合、第2のベースバンドプロセッサは、第1のチャネルおよび第3のチャネルを使用することによってデータを送信する。別の例を挙げると、第2のベースバンドプロセッサが第3のチャネルおよび第4のチャネルを使用することによってデータを送信するとき、第1のチャネルと第2のチャネルの両方がアイドル状態である場合、第2のベースバンドプロセッサは、第1のチャネル、第2のチャネル、第3のチャネル、および第4のチャネルを使用することによってデータを送信する。代替として、第2のベースバンドプロセッサが第3のチャネルおよび第4のチャネルを使用することによってデータを送信するとき、第1のチャネルがアイドル状態である場合、第2のベースバンドプロセッサは、第1のチャネル、第3のチャネル、および第4のチャネルを使用することによってデータを送信する。
【００５４】
本発明の実施形態によれば、端末は第1のベースバンドプロセッサおよび第2のベースバンドプロセッサが設けられている。第1のベースバンドプロセッサは第1の無線周波数チップを使用することによって第1のアンテナおよび第2のアンテナに接続され、第2のベースバンドプロセッサは第2の無線周波数チップを使用することによって第3のアンテナおよび第4のアンテナに接続される。第1の無線周波数チップは第1のアンテナに接続されて第1のチャネルを形成し、第1の無線周波数チップは第2のアンテナに接続されて第2のチャネルを形成し、第2の無線周波数チップは第3のアンテナに接続されて第3のチャネルを形成し、第2の無線周波数チップは第4のアンテナに接続されて第4のチャネルを形成する。第1のベースバンドプロセッサ、第2のベースバンドプロセッサ、第1の無線周波数チップ、および第2の無線周波数チップは、すべて3Gまたは後世代のアクセス能力をサポートする。第1のベースバンドプロセッサおよび第2のベースバンドプロセッサは、各々、データを送信し、3Gまたは後世代のアクセス能力をサポートするように構成されたチャネルが設けられるので、2つのSIMカードは、3Gまたは後世代のサービスを同時に実施することができる。さらに、第1のベースバンドプロセッサに接続されたチャネルを使用することによってデータ伝送を実施するとき、第1のベースバンドプロセッサは、第2のベースバンドプロセッサに接続されたアイドルチャネルを使用してデータ伝送を実施することができる。すなわち、第1のベースバンドプロセッサは、アンテナの使用率を改善し、データ伝送レートを上げるために、第1のベースバンドプロセッサおよび第2のベースバンドプロセッサに接続されたチャネルを動的に構成することができる。
【００５５】
本発明の実施形態において提供されたいくつかの実装形態では、開示されたシステム、装置、および方法は他の方式で実装される場合があることを理解されたい。たとえば、記載された装置の実装形態は一例にすぎない。たとえば、モジュール分割またはユニット分割は論理的な機能分割にすぎず、実際の実装形態では他の分割の場合がある。たとえば、複数のユニットまたは構成要素は組み合わされるか、もしくは別のシステムに統合される場合があり、または、いくつかの特徴は無視されるか、もしくは実施されない場合がある加えて、表示または説明された相互結合または直接結合または通信接続は、いくつかのインターフェースを使用することによって実装される場合がある。装置間またはユニット間の間接結合または通信接続は、電気、機械、または他の形態で実装される場合がある。
【００５６】
別々の部分として記載されたユニットは、物理的に分かれている場合も、分かれていない場合もあり、ユニットとして表示された部分は、物理ユニットである場合も、そうでない場合もあり、1つの場所に位置する場合があるか、または複数のネットワークユニット上に分散される場合がある。ユニットの一部またはすべては、実施形態の解決策の目的を達成するために、実際の必要に応じて選択される場合がある。
【００５７】
加えて、本発明の実施形態の実装形態における機能ユニットは1つの処理ユニットに統合される場合があり、またはユニットの各々は物理的に単独で存在する場合があり、または2つ以上のユニットは1つのユニットに統合される場合がある。統合ユニットは、ハードウェアの形態で実装される場合があるか、またはソフトウェア機能ユニットの形態で実装される場合がある。
【００５８】
統合ユニットがソフトウェア機能ユニットの形態で実装され、独立した製品として販売または使用されるとき、統合ユニットはコンピュータ可読記憶媒体に記憶される場合がある。そのような理解に基づいて、本発明の実施形態における技術的解決策は本質的に、または従来技術に寄与する部分は、または技術的解決策のうちのすべてもしくは一部は、ソフトウェア製品の形態で実装される場合がある。ソフトウェア製品は、記憶媒体に記憶され、本発明の実施形態に記載された方法のステップのすべてまたは一部を実施するように、（パーソナルコンピュータ、サーバ、もしくはネットワークデバイスであり得る）コンピュータデバイスまたはプロセッサ（processor）に命令するためのいくつかの命令を含む。前述の記憶媒体には、USBフラッシュドライブ、リムーバブルハードディスク、読取り専用メモリ（ROM、Read-Only Memory）、ランダムアクセスメモリ（RAM、Random Access Memory）、磁気ディスク、または光ディスクなどの、プログラムコードを記憶することができる任意の媒体が含まれる。
【符号の説明】
【００５９】
100  端末
110  第1のベースバンドプロセッサ
120  第2のベースバンドプロセッサ
130  第1の無線周波数チップ
140  第2の無線周波数チップ
151  第1のアンテナ
152  第2のアンテナ
153  第3のアンテナ
154  第4のアンテナ
160  第1のカードスロット
170  第2のカードスロット
180  スイッチ
191  無線周波数チップ
192  プロセッサ
【図１】
0006608039.tif 000002
【図２】
0006608039.tif 000003
【図３】
0006608039.tif 000004